(57)【要約】【課題】  コンピュータシステムの電源を節約し、コンピュータシステムの負荷量を低下させることができるコンピュータシステムの電源管理のアーキテクチャおよび方法を提供する。【解決手段】  コンピュータシステム１０に第１のオペレーションシステム１５と第２のオペレーションシステム２０とがインストールされており、マルチメディアアプリケーションユニット３５が映像音楽の再生を実行するとき、前記第２のオペレーションシステム２０または前記マルチメディアアプリケーションユニット３５の電源制御ユニット４０が、映像音楽項目の種類に基づいて、電源データ管理ユニット４５から対応するデータを読み取り、前記電源管理ユニット４５は取得したデータに基づいて、ハード設備５０を起動すると同時にその他の無用のハード設備５０を停止させ、さらにコンピュータシステム１０のＣＰＵ５５の動作周波数を調整して、無駄な電力消費を減少させる。【選択図】  図２
2005228335.tif 000002
【特許請求の範囲】
【請求項１】
第１のオペレーションシステムと、第２のオペレーションシステムと、マルチメディアアプリケーションユニットと、電源データ管理ユニットと、電源制御ユニットと、を含み、
前記第１のオペレーションシステムは、コンピュータシステム内にインストールされており、前記第１のオペレーションシステムには少なくとも一つのアプリケーションユニットがインストールされており、
前記第２のオペレーションシステムは、前記コンピュータシステム内にインストールされており、前記第２のオペレーションシステムはシステムの資源消費が比較的少ないオペレーションシステムであり、
前記マルチメディアアプリケーションユニットは、多項の映像音声再生動作を実行することができ、
前記電源データ管理ユニットには、前記マルチメディアアプリケーションユニットのそれぞれの実行項目に対応して前記コンピュータシステムのハード設備の起動および停止を必ず行わなければならないデータが保存されており、
前記電源制御ユニットは、前記マルチメディアアプリケーションユニットが実行する映像音楽項目に基づいて、前記電源データ管理ユニットから対応するデータを読み取り、前記マルチメディアアプリケーションユニットが実行する項目に組合されたコンピュータシステムのハード設備を起動し、その他の無用のハード設備を停止させる
ことを特徴とするコンピュータシステムの電源管理のアーキテクチャ。
【請求項２】
前記電源データ管理ユニットには、さらに、前記マルチメディアアプリケーションユニットのそれぞれの実行項目に対応して前記コンピュータシステムのＣＰＵが実行する動作周波数が保存されており、前記電源制御ユニットは前記コンピュータシステムのＣＰＵの動作周波数のデータに基づいて、前記ＣＰＵの動作周波数を調整することを特徴とする請求項１記載のコンピュータシステムの電源管理のアーキテクチャ。
【請求項３】
前記電源制御ユニットは、さらに、前記コンピュータシステムのＣＰＵの現在の負荷量を感知することができ、その値に基づいて、前記ＣＰＵの動作周波数を適当な周波数に調整することを特徴とする請求項１記載のコンピュータシステムの電源管理のアーキテクチャ。
【請求項４】
前記第２のオペレーションシステムは、前記第１のオペレーションシステムのアプリケーションユニットを使用していることを特徴とする請求項１記載のコンピュータシステムの電源管理のアーキテクチャ。
【請求項５】
前記第１のオペレーションシステムは、Windowsシリーズのオペレーションシステムであることを特徴とする請求項１記載のコンピュータシステムの電源管理のアーキテクチャ。
【請求項６】
前記第２のオペレーションシステムは、Linuxであることを特徴とする請求項１記載のコンピュータシステムの電源管理のアーキテクチャ。
【請求項７】
前記マルチメディアアプリケーションユニットは、前記第１のオペレーションシステムにインストールされていることを特徴とする請求項１記載のコンピュータシステムの電源管理のアーキテクチャ。
【請求項８】
前記マルチメディアアプリケーションユニットは、前記第２のオペレーションシステムにインストールされていることを特徴とする請求項１記載のコンピュータシステムの電源管理のアーキテクチャ。
【請求項９】
前記マルチメディアアプリケーションユニットは、ＣＤ、ＭＰ３、ＤＶＤ、ＶＣＤ、ラジオ、テレビまたは写真の再生を実行することができることを特徴とする請求項１記載のコンピュータシステムの電源管理のアーキテクチャ。
【請求項１０】
前記電源制御ユニットは、前記マルチメディアアプリケーションユニットにインストールされていることを特徴とする請求項１記載のコンピュータシステムの電源管理のアーキテクチャ。
【請求項１１】
前記電源制御ユニットは、前記第２のオペレーションシステムにインストールされていることを特徴とする請求項１記載のコンピュータシステムの電源管理のアーキテクチャ。
【請求項１２】
前記コンピュータシステムは、さらに、ＢＩＯＳを含み、前記第２のオペレーションシステムの起動を行うことを特徴とする請求項１記載のコンピュータシステムの電源管理のアーキテクチャ。
【請求項１３】
前記マルチメディアアプリケーションユニットがＣＤおよびＭＰ３の音声再生項目を実行するとき、前記電源制御ユニットは、前記コンピュータシステムのＣＰＵ、ＣＤドライブ装置、ハードディスク装置、伝送制御装置、音声データ処理装置、アンプ、スピーカおよび入力装置を起動し、その他のハード設備を停止させることを特徴とする請求項１記載のコンピュータシステムの電源管理のアーキテクチャ。
【請求項１４】
前記マルチメディアアプリケーションユニットがテレビ再生項目を実行するとき、前記電源制御ユニットは、前記コンピュータシステムのＣＰＵ、テレビ映像音声処理装置、ハードディスク装置、伝送制御装置、映像処理装置、アンプ、スピーカおよび入力装置を起動し、その他のハード設備を停止させることを特徴とする請求項１記載のコンピュータシステムの電源管理のアーキテクチャ。
【請求項１５】
前記マルチメディアアプリケーションユニットがＶＣＤおよびＤＶＤ再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする請求項１記載のコンピュータシステムの電源管理のアーキテクチャ。
【請求項１６】
前記マルチメディアアプリケーションユニットがラジオ受信項目を実行するとき、前記電源制御ユニットは、前記コンピュータシステムのＣＰＵ、ラジオ音声信号受信処理装置、ハードディスク装置、伝送制御装置、音声信号処理装置、アンプ、スピーカおよび入力装置を起動し、その他のハード設備を停止させることを特徴とする請求項１記載のコンピュータシステムの電源管理のアーキテクチャ。
【請求項１７】
前記マルチメディアアプリケーションユニットが写真再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする請求項１記載のコンピュータシステムの電源管理のアーキテクチャ。
【請求項１８】
コンピュータシステム内に第１のオペレーションシステムおよび第２のオペレーションシステムがインストールされており、前記第２のオペレーションシステムは、システムの資源消費が比較的少ないオペレーションシステムであり、前記コンピュータシステムのマルチメディアアプリケーションユニットが映像音声再生動作を実行するとき、前記電源制御ユニットは、前記マルチメディアアプリケーションユニットが実行する映像音楽項目に基づいて、前記電源データ管理ユニットから対応するデータを読み取り、前記マルチメディアアプリケーションユニットが実行する項目に組合されたコンピュータシステムのハード設備を起動し、その他の無用のハード設備を停止させる
ことを特徴とするコンピュータシステムの電源管理の方法。
【請求項１９】
前記電源データ管理ユニットが保存するデータは、前記マルチメディアアプリケーションユニットのそれぞれの実行項目に対応して前記コンピュータシステムのハード設備の起動および停止を必ず行わなければならないデータであることを特徴とする請求項１８に記載のコンピュータシステムの電源管理の方法。
【請求項２０】
前記電源制御ユニットは、さらに、前記マルチメディアアプリケーションユニットが実行する映像音楽動作項目に基づいて、ＣＰＵの動作周波数を調整することを特徴とする請求項１８記載のコンピュータシステムの電源管理の方法。
【請求項２１】
前記電源制御ユニットは、前記電源データ管理ユニットからデータを読み取り、前記データは、前記マルチメディアアプリケーションユニットのそれぞれの実行項目に対応して前記コンピュータシステムのＣＰＵが実行する動作周波数であることを特徴とする請求項２０記載のコンピュータシステムの電源管理の方法。
【請求項２２】
前記電源制御ユニットは、さらに、前記コンピュータシステムのＣＰＵの現在の負荷量を感知することができ、その値に基づいて、前記ＣＰＵの動作周波数を適当な周波数に調整することを特徴とする請求項１８記載のコンピュータシステムの電源管理の方法。
【請求項２３】
前記ＣＰＵの現在の負荷量は、前記ＣＰＵの最大負荷量の０％〜２５％の間であり、前記電源制御ユニットが前記ＣＰＵの負荷量を最大負荷量の３０％に調整することを特徴とする請求項２２記載のコンピュータシステムの電源管理の方法。
【請求項２４】
前記ＣＰＵの現在の負荷量は、前記ＣＰＵの最大負荷量の２５％〜５０％の間であり、前記電源制御ユニットが前記ＣＰＵの負荷量を最大負荷量の６０％に調整することを特徴とする請求項２２記載のコンピュータシステムの電源管理の方法。
【請求項２５】
前記ＣＰＵの現在の負荷量は、前記ＣＰＵの最大負荷量の５０％〜７５％の間であり、前記電源制御ユニットが前記ＣＰＵの負荷量を最大負荷量の８０％に調整することを特徴とする請求項２２記載のコンピュータシステムの電源管理の方法。
【請求項２６】
前記ＣＰＵの現在の負荷量は、前記ＣＰＵの最大負荷量の７５％〜１００％の間であり、前記電源制御ユニットが前記ＣＰＵの負荷量を最大負荷量に調整することを特徴とする請求項２２記載のコンピュータシステムの電源管理の方法。
【請求項２７】
前記第１のオペレーションシステムには少なくとも一つのアプリケーションユニットがインストールされていることを特徴とする請求項１８記載のコンピュータシステムの電源管理の方法。
【請求項２８】
前記第１のオペレーションシステムのアプリケーションユニットは、前記第２のオペレーションシステムに使用していることを特徴とする請求項２７記載のコンピュータシステムの電源管理の方法。
【請求項２９】
前記第１のオペレーションシステムは、Windowsシリーズのオペレーションシステムであることを特徴とする請求項１８記載のコンピュータシステムの電源管理の方法。
【請求項３０】
前記第２のオペレーションシステムは、Linuxであることを特徴とする請求項１８記載のコンピュータシステムの電源管理の方法。
【請求項３１】
前記マルチメディアアプリケーションユニットは、前記第１のオペレーションシステムにインストールされていることを特徴とする請求項１７記載のコンピュータシステムの電源管理の方法。
【請求項３２】
前記マルチメディアアプリケーションユニットは、前記第２のオペレーションシステムにインストールされていることを特徴とする請求項１８記載のコンピュータシステムの電源管理の方法。
【請求項３３】
前記マルチメディアアプリケーションユニットは、ＣＤ、ＭＰ３、ＤＶＤ、ＶＣＤ、ラジオ、テレビまたは写真の再生を実行することができることを特徴とする請求項１８記載のコンピュータシステムの電源管理の方法。
【請求項３４】
前記電源制御ユニットは、前記マルチメディアアプリケーションユニットにインストールされていることを特徴とする請求項１８記載のコンピュータシステムの電源管理の方法。
【請求項３５】
前記電源制御ユニットは、前記第２のオペレーションシステムにインストールされていることを特徴とする請求項１８記載のコンピュータシステムの電源管理の方法。
【請求項３６】
前記マルチメディアアプリケーションユニットがＣＤおよびＭＰ３の音声再生項目を実行するとき、前記電源制御ユニットは、前記コンピュータシステムのＣＰＵ、ＣＤドライブ装置、ハードディスク装置、伝送制御装置、音声データ処理装置、アンプ、スピーカおよび入力装置を起動し、その他のハード設備を停止させることを特徴とする請求項１８記載のコンピュータシステムの電源管理の方法。
【請求項３７】
前記マルチメディアアプリケーションユニットがテレビ再生項目を実行するとき、前記電源制御ユニットは、前記コンピュータシステムのＣＰＵ、テレビ映像音声処理装置、ハードディスク装置、伝送制御装置、映像処理装置、アンプ、スピーカおよび入力装置を起動し、その他のハード設備を停止させることを特徴とする請求項１８記載のコンピュータシステムの電源管理の方法。
【請求項３８】
前記マルチメディアアプリケーションユニットがＶＣＤおよびＤＶＤ再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする請求項１８記載のコンピュータシステムの電源管理の方法。
【請求項３９】
前記マルチメディアアプリケーションユニットがラジオ受信項目を実行するとき、前記電源制御ユニットは、前記コンピュータシステムのＣＰＵ、ラジオ音声信号受信処理装置、ハードディスク装置、伝送制御装置、音声信号処理装置、アンプ、スピーカおよび入力装置を起動し、その他のハード設備を停止させることを特徴とする請求項１８記載のコンピュータシステムの電源管理の方法。
【請求項４０】
前記マルチメディアアプリケーションユニットが写真再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする請求項１８記載のコンピュータシステムの電源管理の方法。
【請求項４１】
マルチメディアアプリケーションユニットと、電源データ管理ユニットと、電源制御ユニットと、を含み、
前記マルチメディアアプリケーションユニットは、コンピュータシステムにインストールされており、多項の映像音声再生動作を実行することができ、
前記電源データ管理ユニットには、前記マルチメディアアプリケーションユニットのそれぞれの実行項目に対応して前記コンピュータシステムのハード設備の起動および停止を必ず行わなければならないデータが保存されており、
前記電源制御ユニットは、前記マルチメディアアプリケーションユニットが実行する映像音楽項目に基づいて、前記電源データ管理ユニットから対応するデータを読み取り、前記マルチメディアアプリケーションユニットが実行する項目に組合されたコンピュータシステムのハード設備を起動し、その他の無用のハード設備を停止させる
ことを特徴とするコンピュータシステムの電源管理のアーキテクチャ。
【請求項４２】
前記電源データ管理ユニットには、さらに、前記マルチメディアアプリケーションユニットのそれぞれの実行項目に対応して前記コンピュータシステムのＣＰＵが実行する作動周波数が保存されており、前記電源制御ユニットは前記コンピュータシステムのＣＰＵの動作周波数のデータに基づいて、前記ＣＰＵの動作周波数を調整することを特徴とする請求項４１記載のコンピュータシステムの電源管理のアーキテクチャ。
【請求項４３】
前記電源制御ユニットは、さらに、前記コンピュータシステムのＣＰＵの現在の負荷量を感知することができ、その値に基づいて、前記ＣＰＵの動作周波数を適当な周波数に調整することを特徴とする請求項４１記載のコンピュータシステムの電源管理のアーキテクチャ。
【請求項４４】
前記マルチメディアアプリケーションユニットは、ＣＤ、ＭＰ３、ＤＶＤ、ＶＣＤ、ラジオ、テレビまたは写真の再生を実行することができることを特徴とする請求項４１記載のコンピュータシステムの電源管理のアーキテクチャ。
【請求項４５】
前記電源制御ユニットは、前記マルチメディアアプリケーションユニットにインストールされていることを特徴とする請求項４１記載のコンピュータシステムの電源管理のアーキテクチャ。
【請求項４６】
前記電源制御ユニットは、前記コンピュータシステムのオペレーションシステムにインストールされていることを特徴とする請求項４１記載のコンピュータシステムの電源管理のアーキテクチャ。
【請求項４７】
前記マルチメディアアプリケーションユニットがＣＤおよびＭＰ３の音声再生項目を実行するとき、前記電源制御ユニットは、前記コンピュータシステムのＣＰＵ、ＣＤドライブ装置、ハードディスク装置、伝送制御装置、音声データ処理装置、アンプ、スピーカおよび入力装置を起動し、その他のハード設備を停止させることを特徴とする請求項４１記載のコンピュータシステムの電源管理のアーキテクチャ。
【請求項４８】
前記マルチメディアアプリケーションユニットがテレビ再生項目を実行するとき、前記電源制御ユニットは、前記コンピュータシステムのＣＰＵ、テレビ映像音声処理装置、ハードディスク装置、伝送制御装置、映像処理装置、アンプ、スピーカおよび入力装置を起動し、その他のハード設備を停止させることを特徴とする請求項４１記載のコンピュータシステムの電源管理のアーキテクチャ。
【請求項４９】
前記マルチメディアアプリケーションユニットがＶＣＤおよびＤＶＤ再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする請求項４１記載のコンピュータシステムの電源管理のアーキテクチャ。
【請求項５０】
前記マルチメディアアプリケーションユニットがラジオ受信項目を実行するとき、前記電源制御ユニットは、前記コンピュータシステムのＣＰＵ、ラジオ音声信号受信処理装置、ハードディスク装置、伝送制御装置、音声信号処理装置、アンプ、スピーカおよび入力装置を起動し、その他のハード設備を停止させることを特徴とする請求項４１記載のコンピュータシステムの電源管理のアーキテクチャ。
【請求項５１】
前記マルチメディアアプリケーションユニットが写真再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする請求項４１記載のコンピュータシステムの電源管理のアーキテクチャ。
【請求項５２】
使用者がコンピュータを操作してマルチメディアアプリケーションユニットを使用し、映像音声再生動作を実行するとき、前記電源制御ユニットは、実行する項目の種類に基づいて、前記電源データ管理ユニットから対応するデータを読み取り、実行する項目に対応するコンピュータシステムのハード設備を起動し、その他の無用のハード設備を停止させることを特徴とするコンピュータシステムの電源管理の方法。
【請求項５３】
前記電源データ管理ユニットが保存するデータは、前記マルチメディアアプリケーションユニットのそれぞれの実行項目に対応して前記コンピュータシステムのハード設備の起動および停止を必ず行わなければならないデータであることを特徴とする請求項５２に記載のコンピュータシステムの電源管理の方法。
【請求項５４】
前記電源制御ユニットは、さらに、前記マルチメディアアプリケーションユニットが実行する映像音楽動作項目に基づいて、ＣＰＵの動作周波数を調整することを特徴とする請求項５２記載のコンピュータシステムの電源管理の方法。
【請求項５５】
前記電源制御ユニットは、前記電源データ管理ユニットからデータを読み取り、前記データは、前記マルチメディアアプリケーションユニットのそれぞれの実行項目に対応して前記コンピュータシステムのＣＰＵが実行する動作周波数であることを特徴とする請求項５４記載のコンピュータシステムの電源管理の方法。
【請求項５６】
前記電源制御ユニットは、さらに、前記コンピュータシステムのＣＰＵの現在の負荷量を感知することができ、その値に基づいて、前記ＣＰＵの動作周波数を適当な周波数に調整することを特徴とする請求項５２記載のコンピュータシステムの電源管理の方法。
【請求項５７】
前記ＣＰＵの現在の負荷量は、前記ＣＰＵの最大負荷量の０％〜２５％の間であり、前記電源制御ユニットが前記ＣＰＵの負荷量を最大負荷量の３０％に調整することを特徴とする請求項５６記載のコンピュータシステムの電源管理の方法。
【請求項５８】
前記ＣＰＵの現在の負荷量は、前記ＣＰＵの最大負荷量の２５％〜５０％の間であり、前記電源制御ユニットが前記ＣＰＵの負荷量を最大負荷量の６０％に調整することを特徴とする請求項５６記載のコンピュータシステムの電源管理の方法。
【請求項５９】
前記ＣＰＵの現在の負荷量は、前記ＣＰＵの最大負荷量の５０％〜７５％の間であり、前記電源制御ユニットが前記ＣＰＵの負荷量を最大負荷量の８０％に調整することを特徴とする請求項５６記載のコンピュータシステムの電源管理の方法。
【請求項６０】
前記ＣＰＵの現在の負荷量は、前記ＣＰＵの最大負荷量の７５％〜１００％の間であり、前記電源制御ユニットが前記ＣＰＵの負荷量を最大負荷量に調整することを特徴とする請求項５６記載のコンピュータシステムの電源管理の方法。
【請求項６１】
前記マルチメディアアプリケーションユニットは、ＣＤ、ＭＰ３、ＤＶＤ、ＶＣＤ、ラジオ、テレビまたは写真の再生を実行することができることを特徴とする請求項５２記載のコンピュータシステムの電源管理の方法。
【請求項６２】
前記電源制御ユニットは、前記マルチメディアアプリケーションユニットにインストールされていることを特徴とする請求項５２記載のコンピュータシステムの電源管理の方法。
【請求項６３】
前記電源制御ユニットは、前記コンピュータシステムのオペレーションシステムにインストールされていることを特徴とする請求項５２記載のコンピュータシステムの電源管理の方法。
【請求項６４】
前記マルチメディアアプリケーションユニットがＣＤおよびＭＰ３の音声項目の再生を実行するとき、前記電源制御ユニットは、前記コンピュータシステムのＣＰＵ、ＣＤドライブ装置、ハードディスク装置、伝送制御装置、音声データ処理装置、アンプ、スピーカおよび入力装置を起動し、その他のハード設備を停止させることを特徴とする請求項５２記載のコンピュータシステムの電源管理の方法。
【請求項６５】
前記マルチメディアアプリケーションユニットがテレビ再生項目を実行するとき、前記電源制御ユニットは、前記コンピュータシステムのＣＰＵ、テレビ映像音声処理装置、ハードディスク装置、伝送制御装置、映像処理装置、アンプ、スピーカおよび入力装置を起動し、その他のハード設備を停止させることを特徴とする請求項５２記載のコンピュータシステムの電源管理のアーキテクチャ。
【請求項６６】
前記マルチメディアアプリケーションユニットがＶＣＤおよびＤＶＤ再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする請求項５２記載のコンピュータシステムの電源管理の方法。
【請求項６７】
前記マルチメディアアプリケーションユニットがラジオ受信項目を実行するとき、前記電源制御ユニットは、前記コンピュータシステムのＣＰＵ、ラジオ音声信号受信処理装置、ハードディスク装置、伝送制御装置、音声信号処理装置、アンプ、スピーカおよび入力装置を起動し、その他のハード設備を停止させることを特徴とする請求項５２記載のコンピュータシステムの電源管理の方法。
【請求項６８】
前記マルチメディアアプリケーションユニットが写真再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする請求項５２記載のコンピュータシステムの電源管理の方法。
【発明の詳細な説明】
【技術分野】
【０００１】
本発明はコンピュータシステムの電源管理のアーキテクチャおよび方法に関し、特にシステムの資源消費が比較的少ない管理のアーキテクチャおよび方法によってコンピュータシステムの電源の管理を行い、コンピュータシステムの使用電気量を減少させることができるコンピュータシステムの電源管理のアーキテクチャおよび方法に関する。
【背景技術】
【０００２】
科学技術の迅速な発展に伴い、コンピュータシステムの有する機能も益々多くなっており、現在のコンピュータはデータ処理、無線でのデータ伝送、インターネット、およびファクシミリなどの事務処理機能以外に、マルチメディア機能も有しており、現代人の様々な要求を満たしており、忙しい現代人にとってコンピュータは無くてはならない存在になっている。コンピュータは多くの事務処理を行う必要があるので組合わせて使用する多くのハード設備を設ける必要があるのだが、コンピュータシステムを起動して使用しているとき、そのハード設備を使用しているか否かに関わらず、そのハード設備は電力供給を受けて電力を消費しており、このことは電池を使用している携帯型のパソコンにとっては大きな欠点となっており、携帯型パソコンのコンピュータシステムが有効的な電源管理をできない場合、その利便性は大幅に下がる。
【０００３】
上述の問題に鑑み、コンピュータシステムの電力管理技術が生まれ、最初の電力管理技術はＡＰＭ（advanced power management）を採用したものであった。この技術はコンピュータシステムのＢＩＯＳ(basic input/output system)によってシステムが使用されていないことを感知し、自動的にオフにして電源の無駄な使用を防ぐものであり、使用者がどのくらいの時間使用を中断するとサスペンド（suspend）またはスタンバイ(standby)状態に入るかを決定することができる。しかし現在のコンピュータシステムのマザーボード上に設けられている周辺装置は多く、ＢＩＯＳは全ての周辺装置を設定してＡＰＭを使用することは不可能であり、ＢＩＯＳ設定できないハード設備の場合、ＡＰＭは有効的に電源管理を行うことができず、さらに各メーカのＢＩＯＳ規格は全て同じではないのでＡＰＭの電源管理は大きな欠点を有する。
【０００４】
上記欠点に鑑み、インテル社（Intel）、マイクロソフト社（Microsoft）、東芝（Toshiba） が新しい電源管理インターフェイスであるＡＣＰＩ（advanced configuration and power interface）を共同開発し、ＡＰＭ技術に取って代わり、現在のコンピュータシステムの電源管理においては多くがＡＣＰＩ技術を採用している。ＡＣＰＩは電源管理の制御をオペレーションシステム（ＯＳ）によって行っており、以前の各メーカのインターフェイスが統一されていないことによって生ずる問題を解決し、オペレーションシステムが直接使用者と対話することができるので、オペレーションシステムが現在使用されていない機能を察知すると自動的にその機能を低下させ電力消費を抑えることができる。
【０００５】
ＡＣＰＩは使用者がいつ、どんな状況のとき、どんな必要、不必要な機能があるかを感知して電源管理を行い、電力管理システムがオペレーションシステムに一定の方式に基づいて周辺機器の電力使用状況を管理できるようにする。例えば、使用者がハードディスクまたはモニターを一定時間使用していない場合、使用者が再び使用するまで電力節約モードに入るかまたは運転を停止する。ＡＣＰＩはオペレーションシステムの規格なので、オペレーションシステム上の全ての素子を制御することができ、ＣＰＵからチップセット、さらにはコンピュータシステムに設置されている各種のハード設備まで制御できるので、便利であり、好適な電源管理能力を有する。
【０００６】
ＡＣＰＩは優れた電源管理能力を有するが、常にコンピュータシステム上の各素子を監視する必要があるので、そのシステムは非常に複雑であり、コンピュータシステムの各素子を監視すると同時に、ＣＰＵの負荷量を増加させてしまう。その他、近年コンピュータウイルスを防ぐことが重視され、システム管理およびシステムの安定性が求められていることにより、Windowsのオペレーションシステムの負荷量と消費資源は増加しており、システムの一つのアプリケーションを使用するときでさえも非常に長い立ち上げ時間が必要であり、不便になっている。
【特許文献１】特開２００２−３７３０３７号
【発明の開示】
【発明が解決しようとする課題】
【０００７】
本発明は、上述の問題に鑑み、コンピュータシステムの電源管理のアーキテクチャおよび方法を提供するものであり、システムの資源消費が比較的少ないアーキテクチャおよび方法を使用して電源管理を行うものであり、コンピュータシステムの負荷量を減少させることができ、本発明はコンピュータシステムの現在実行する項目に基づいて、その実行項目に対応するハード設備を起動し、その他の無用な設備を停止させ、さらにＣＰＵの動作周波数を適当な周波数に調整し、電源の節約を行い、上述の問題を解決するものである。
【０００８】
本発明の第１の目的は、使用者が使用しようとするコンピュータシステムの実行項目に基づいて、それに組合されたハード設備を起動すると同時にその他の不要なハード設備を停止させてコンピュータシステムの電源を節約し、コンピュータシステムの負荷量を低下させることができるコンピュータシステムの電源管理のアーキテクチャおよび方法を提供することである。
本発明の第２の目的は、使用者が使用しようとするコンピュータシステムの実行項目に基づいて、ＣＰＵの動作周波数を適当な周波数に調整し、動作周波数が高すぎて電源を無駄に使用することを防ぐことができるコンピュータシステムの電源管理のアーキテクチャおよび方法を提供することである。
本発明の第３の目的は、コンピュータシステムの現在の負荷量を感知することができ、ＣＰＵの動作周波数を適当な周波数に調整し、動作周波数が高すぎて電源を無駄に使用することを防ぐコンピュータシステムの電源管理のアーキテクチャおよび方法を提供することである。
本発明の第４の目的は、常時コンピュータシステムの各ハード設備を監視しなくてもコンピュータシステムの電源管理を行うことができ、コンピュータシステムの平常時の負荷量を減少させることができるコンピュータシステムの電源管理のアーキテクチャおよび方法を提供することである。
【課題を解決するための手段】
【０００９】
前記課題を解決するために、本発明は、コンピュータシステムに第１のオペレーションシステムと第２のオペレーションシステムとがインストールされており、前記第２のオペレーションシステムは資源消費が比較的少ないオペレーションシステムであり、前記第１のオペレーションシステムにはマルチメディアアプリケーションユニットがインストールされており、前記マルチメディアアプリケーションユニットは前記第２のオペレーションシステムにインストールすることもでき、前記マルチメディアアプリケーションユニットが映像音楽の再生を実行するとき、前記第２のオペレーションシステムまたは前記マルチメディアアプリケーションユニットの電源制御ユニットが、前記マルチメディアアプリケーションユニットが実行する映像音楽項目の種類に基づいて、電源データ管理ユニットから対応するデータを読み取り、前記電源管理ユニットは取得したデータに基づいて、マルチメディアアプリケーションユニットが実行する項目に組合されたハード設備を起動すると同時にその他の無用のハード設備を停止させ、さらにコンピュータシステムのＣＰＵの動作周波数を調整して、無駄な電力消費を減少させるコンピュータシステムの電源管理のアーキテクチャおよび方法である。
本発明のコンピュータシステムの電源管理のアーキテクチャは、請求項１に記載するように、
第１のオペレーションシステムと、第２のオペレーションシステムと、マルチメディアアプリケーションユニットと、電源データ管理ユニットと、電源制御ユニットと、を含み、
前記第１のオペレーションシステムは、コンピュータシステム内にインストールされており、前記第１のオペレーションシステムには少なくとも一つのアプリケーションユニットがインストールされており、
前記第２のオペレーションシステムは、前記コンピュータシステム内にインストールされており、前記第２のオペレーションシステムはシステムの資源消費が比較的少ないオペレーションシステムであり、
前記マルチメディアアプリケーションユニットは、多項の映像音声再生動作を実行することができ、
前記電源データ管理ユニットには、前記マルチメディアアプリケーションユニットのそれぞれの実行項目に対応して前記コンピュータシステムのハード設備の起動および停止を必ず行わなければならないデータが保存されており、
前記電源制御ユニットは、前記マルチメディアアプリケーションユニットが実行する映像音楽項目に基づいて、前記電源データ管理ユニットから対応するデータを読み取り、前記マルチメディアアプリケーションユニットが実行する項目に組合されたコンピュータシステムのハード設備を起動し、その他の無用のハード設備を停止させることを特徴とする。
【００１０】
請求項２に記載するように、前記電源データ管理ユニットには、さらに、前記マルチメディアアプリケーションユニットのそれぞれの実行項目に対応して前記コンピュータシステムのＣＰＵが実行する動作周波数が保存されており、前記電源制御ユニットは前記コンピュータシステムのＣＰＵの動作周波数のデータに基づいて、前記ＣＰＵの動作周波数を調整することが好ましい。
【００１１】
請求項３に記載するように、前記電源制御ユニットは、さらに、前記コンピュータシステムのＣＰＵの現在の負荷量を感知することができ、その値に基づいて、前記ＣＰＵの動作周波数を適当な周波数に調整することが好ましい。
【００１２】
請求項４に記載するように、前記第２のオペレーションシステムは、前記第１のオペレーションシステムのアプリケーションユニットを使用していることが好ましい。
【００１３】
請求項５に記載するように、前記第１のオペレーションシステムは、Windowsシリーズのオペレーションシステムであることが好ましく、請求項６に記載するように、前記第２のオペレーションシステムは、Linuxであることが好ましい。
【００１４】
請求項７に記載するように、前記マルチメディアアプリケーションユニットは、前記第１のオペレーションシステムにインストールされていることが好ましく、請求項８に記載するように、前記マルチメディアアプリケーションユニットは、前記第２のオペレーションシステムにインストールされていることが好ましい。
【００１５】
請求項９に記載するように、前記マルチメディアアプリケーションユニットは、ＣＤ、ＭＰ３、ＤＶＤ、ＶＣＤ、ラジオ、テレビまたは写真の再生を実行することができる。
【００１６】
請求項１０に記載するように、前記電源制御ユニットは、前記マルチメディアアプリケーションユニットにインストールされている。又は、請求項１１に記載するように、前記電源制御ユニットは、前記第２のオペレーションシステムにインストールされている。
【００１７】
請求項１２に記載するように、前記コンピュータシステムは、さらに、ＢＩＯＳを含み、前記第２のオペレーションシステムの起動を行う。
【００１８】
請求項１３に記載するように、前記マルチメディアアプリケーションユニットがＣＤおよびＭＰ３の音声再生項目を実行するとき、前記電源制御ユニットは、前記コンピュータシステムのＣＰＵ、ＣＤドライブ装置、ハードディスク装置、伝送制御装置、音声データ処理装置、アンプ、スピーカおよび入力装置を起動し、その他のハード設備を停止させることを特徴とする。
【００１９】
請求項１４に記載するように、前記マルチメディアアプリケーションユニットがテレビ再生項目を実行するとき、前記電源制御ユニットは、前記コンピュータシステムのＣＰＵ、テレビ映像音声処理装置、ハードディスク装置、伝送制御装置、映像処理装置、アンプ、スピーカおよび入力装置を起動し、その他のハード設備を停止させることを特徴とする。
【００２０】
請求項１５に記載するように、前記マルチメディアアプリケーションユニットがＶＣＤおよびＤＶＤ再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする。
【００２１】
請求項１６に記載するように、前記マルチメディアアプリケーションユニットがラジオ受信項目を実行するとき、前記電源制御ユニットは、前記コンピュータシステムのＣＰＵ、ラジオ音声信号受信処理装置、ハードディスク装置、伝送制御装置、音声信号処理装置、アンプ、スピーカおよび入力装置を起動し、その他のハード設備を停止させることを特徴とする。
【００２２】
請求項１７に記載するように、前記マルチメディアアプリケーションユニットが写真再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする。
【００２３】
請求項１８に記載するように、本発明のコンピュータシステムの電源管理の方法は、コンピュータシステム内に第１のオペレーションシステムおよび第２のオペレーションシステムがインストールされており、前記第２のオペレーションシステムは、システムの資源消費が比較的少ないオペレーションシステムであり、前記コンピュータシステムのマルチメディアアプリケーションユニットが映像音声再生動作を実行するとき、前記電源制御ユニットは、前記マルチメディアアプリケーションユニットが実行する映像音楽項目に基づいて、前記電源データ管理ユニットから対応するデータを読み取り、前記マルチメディアアプリケーションユニットが実行する項目に組合されたコンピュータシステムのハード設備を起動し、その他の無用のハード設備を停止させることを特徴とする。
【００２４】
請求項１９に記載するように、前記電源データ管理ユニットが保存するデータは、前記マルチメディアアプリケーションユニットのそれぞれの実行項目に対応して前記コンピュータシステムのハード設備の起動および停止を必ず行わなければならないデータであることを特徴とする。
【００２５】
請求項２０に記載するように、前記電源制御ユニットは、さらに、前記マルチメディアアプリケーションユニットが実行する映像音楽動作項目に基づいて、ＣＰＵの動作周波数を調整することを特徴とする。
【００２６】
請求項２１に記載するように、前記電源制御ユニットは、前記電源データ管理ユニットからデータを読み取り、前記データは、前記マルチメディアアプリケーションユニットのそれぞれの実行項目に対応して前記コンピュータシステムのＣＰＵが実行する動作周波数であることを特徴とする。
【００２７】
請求項２２に記載するように、前記電源制御ユニットは、さらに、前記コンピュータシステムのＣＰＵの現在の負荷量を感知することができ、その値に基づいて、前記ＣＰＵの動作周波数を適当な周波数に調整することを特徴とする。
【００２８】
請求項２３に記載するように、前記ＣＰＵの現在の負荷量は、前記ＣＰＵの最大負荷量の０％〜２５％の間であり、前記電源制御ユニットが前記ＣＰＵの負荷量を最大負荷量の３０％に調整することを特徴とする。
【００２９】
請求項２４に記載するように、前記ＣＰＵの現在の負荷量は、前記ＣＰＵの最大負荷量の２５％〜５０％の間であり、前記電源制御ユニットが前記ＣＰＵの負荷量を最大負荷量の６０％に調整することを特徴とする。
【００３０】
請求項２５に記載するように、前記ＣＰＵの現在の負荷量は、前記ＣＰＵの最大負荷量の５０％〜７５％の間であり、前記電源制御ユニットが前記ＣＰＵの負荷量を最大負荷量の８０％に調整することを特徴とする。
【００３１】
請求項２６に記載するように、前記ＣＰＵの現在の負荷量は、前記ＣＰＵの最大負荷量の７５％〜１００％の間であり、前記電源制御ユニットが前記ＣＰＵの負荷量を最大負荷量に調整することを特徴とする。
【００３２】
請求項２７に記載するように、前記第１のオペレーションシステムには少なくとも一つのアプリケーションユニットがインストールされていることを特徴とし、請求項２８に記載するように前記第１のオペレーションシステムのアプリケーションユニットは、前記第２のオペレーションシステムに使用していることを特徴とする。
【００３３】
請求項２９に記載するように前記第１のオペレーションシステムは、Windowsシリーズのオペレーションシステムであることを特徴とし、前記第２のオペレーションシステムは、Linuxであることを特徴とする。
【００３４】
請求項３１に記載するように前記マルチメディアアプリケーションユニットは、前記第１のオペレーションシステムにインストールされていることを特徴とし、また、請求項３２に記載するように前記マルチメディアアプリケーションユニットは、前記第２のオペレーションシステムにインストールされていることを特徴とする。
【００３５】
請求項３３に記載するように前記マルチメディアアプリケーションユニットは、ＣＤ、ＭＰ３、ＤＶＤ、ＶＣＤ、ラジオ、テレビまたは写真の再生を実行することができることを特徴とする。また、請求項３４に記載するように前記電源制御ユニットは、前記マルチメディアアプリケーションユニットにインストールされていることを特徴とする。さらに、請求項３５に記載するように前記電源制御ユニットは、前記第２のオペレーションシステムにインストールされていることを特徴とする。
【００３６】
請求項３６に記載するように、前記マルチメディアアプリケーションユニットがＣＤおよびＭＰ３の音声再生項目を実行するとき、前記電源制御ユニットは、前記コンピュータシステムのＣＰＵ、ＣＤドライブ装置、ハードディスク装置、伝送制御装置、音声データ処理装置、アンプ、スピーカおよび入力装置を起動し、その他のハード設備を停止させることを特徴とする。
【００３７】
請求項３７に記載するように、前記マルチメディアアプリケーションユニットがテレビ再生項目を実行するとき、前記電源制御ユニットは、前記コンピュータシステムのＣＰＵ、テレビ映像音声処理装置、ハードディスク装置、伝送制御装置、映像処理装置、アンプ、スピーカおよび入力装置を起動し、その他のハード設備を停止させることを特徴とする。
【００３８】
請求項３８に記載するように、前記マルチメディアアプリケーションユニットがＶＣＤおよびＤＶＤ再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする。
【００３９】
請求項３９に記載するように、前記マルチメディアアプリケーションユニットがラジオ受信項目を実行するとき、前記電源制御ユニットは、前記コンピュータシステムのＣＰＵ、ラジオ音声信号受信処理装置、ハードディスク装置、伝送制御装置、音声信号処理装置、アンプ、スピーカおよび入力装置を起動し、その他のハード設備を停止させることを特徴とする。
【００４０】
請求項４０に記載するように、前記マルチメディアアプリケーションユニットが写真再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする。
【００４１】
請求項４１に記載するように、本発明のコンピュータシステムの電源管理のアーキテクチャは、マルチメディアアプリケーションユニットと、電源データ管理ユニットと、電源制御ユニットと、を含み、
前記マルチメディアアプリケーションユニットは、コンピュータシステムにインストールされており、多項の映像音声再生動作を実行することができ、
前記電源データ管理ユニットには、前記マルチメディアアプリケーションユニットのそれぞれの実行項目に対応して前記コンピュータシステムのハード設備の起動および停止を必ず行わなければならないデータが保存されており、
前記電源制御ユニットは、前記マルチメディアアプリケーションユニットが実行する映像音楽項目に基づいて、前記電源データ管理ユニットから対応するデータを読み取り、前記マルチメディアアプリケーションユニットが実行する項目に組合されたコンピュータシステムのハード設備を起動し、その他の無用のハード設備を停止させることを特徴とする。
【００４２】
請求項４２に記載するように、前記電源データ管理ユニットには、さらに、前記マルチメディアアプリケーションユニットのそれぞれの実行項目に対応して前記コンピュータシステムのＣＰＵが実行する作動周波数が保存されており、前記電源制御ユニットは前記コンピュータシステムのＣＰＵの動作周波数のデータに基づいて、前記ＣＰＵの動作周波数を調整することを特徴とする。
【００４３】
請求項４３に記載するように、前記電源制御ユニットは、さらに、前記コンピュータシステムのＣＰＵの現在の負荷量を感知することができ、その値に基づいて、前記ＣＰＵの動作周波数を適当な周波数に調整することを特徴とする。
【００４４】
請求項４４に記載するように、前記マルチメディアアプリケーションユニットは、ＣＤ、ＭＰ３、ＤＶＤ、ＶＣＤ、ラジオ、テレビまたは写真の再生を実行することができることを特徴とする。
【００４５】
請求項４５に記載するように、前記電源制御ユニットは、前記マルチメディアアプリケーションユニットにインストールされていることを特徴とする。また、請求項４６に記載するように、前記電源制御ユニットは、前記コンピュータシステムのオペレーションシステムにインストールされていることを特徴とする。
【００４６】
請求項４７に記載するように、前記マルチメディアアプリケーションユニットがＣＤおよびＭＰ３の音声再生項目を実行するとき、前記電源制御ユニットは、前記コンピュータシステムのＣＰＵ、ＣＤドライブ装置、ハードディスク装置、伝送制御装置、音声データ処理装置、アンプ、スピーカおよび入力装置を起動し、その他のハード設備を停止させることを特徴とする。
【００４７】
請求項４８に記載するように、前記マルチメディアアプリケーションユニットがテレビ再生項目を実行するとき、前記電源制御ユニットは、前記コンピュータシステムのＣＰＵ、テレビ映像音声処理装置、ハードディスク装置、伝送制御装置、映像処理装置、アンプ、スピーカおよび入力装置を起動し、その他のハード設備を停止させることを特徴とする。
【００４８】
請求項４９に記載するように、前記マルチメディアアプリケーションユニットがＶＣＤおよびＤＶＤ再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする。
【００４９】
請求項５０に記載するように、前記マルチメディアアプリケーションユニットがラジオ受信項目を実行するとき、前記電源制御ユニットは、前記コンピュータシステムのＣＰＵ、ラジオ音声信号受信処理装置、ハードディスク装置、伝送制御装置、音声信号処理装置、アンプ、スピーカおよび入力装置を起動し、その他のハード設備を停止させることを特徴とする。
【００５０】
請求項５１に記載するように、前記マルチメディアアプリケーションユニットが写真再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする。
【００５１】
請求項５２に記載するように、使用者がコンピュータを操作してマルチメディアアプリケーションユニットを使用し、映像音声再生動作を実行するとき、前記電源制御ユニットは、実行する項目の種類に基づいて、前記電源データ管理ユニットから対応するデータを読み取り、実行する項目に対応するコンピュータシステムのハード設備を起動し、その他の無用のハード設備を停止させることを特徴とする。
【００５２】
請求項５３に記載するように、前記電源データ管理ユニットが保存するデータは、前記マルチメディアアプリケーションユニットのそれぞれの実行項目に対応して前記コンピュータシステムのハード設備の起動および停止を必ず行わなければならないデータであることを特徴とする。請求項５４に記載するように、前記電源制御ユニットは、さらに、前記マルチメディアアプリケーションユニットが実行する映像音楽動作項目に基づいて、ＣＰＵの動作周波数を調整することを特徴とする。
【００５３】
請求項５５に記載するように、前記電源制御ユニットは、前記電源データ管理ユニットからデータを読み取り、前記データは、前記マルチメディアアプリケーションユニットのそれぞれの実行項目に対応して前記コンピュータシステムのＣＰＵが実行する動作周波数であることを特徴とする。請求項５６に記載するように、前記電源制御ユニットは、さらに、前記コンピュータシステムのＣＰＵの現在の負荷量を感知することができ、その値に基づいて、前記ＣＰＵの動作周波数を適当な周波数に調整することを特徴とする。
【００５４】
請求項５７に記載するように、前記ＣＰＵの現在の負荷量は、前記ＣＰＵの最大負荷量の０％〜２５％の間であり、前記電源制御ユニットが前記ＣＰＵの負荷量を最大負荷量の３０％に調整することを特徴とする。請求項５８に吉舎愛するように、前記ＣＰＵの現在の負荷量は、前記ＣＰＵの最大負荷量の２５％〜５０％の間であり、前記電源制御ユニットが前記ＣＰＵの負荷量を最大負荷量の６０％に調整することを特徴とする。請求項５９に記載するように、前記ＣＰＵの現在の負荷量は、前記ＣＰＵの最大負荷量の５０％〜７５％の間であり、前記電源制御ユニットが前記ＣＰＵの負荷量を最大負荷量の８０％に調整することを特徴とする。
【００５５】
請求項６０に記載するように、前記ＣＰＵの現在の負荷量は、前記ＣＰＵの最大負荷量の７５％〜１００％の間であり、前記電源制御ユニットが前記ＣＰＵの負荷量を最大負荷量に調整することを特徴とする。
【００５６】
請求項６１に記載するように、前記マルチメディアアプリケーションユニットは、ＣＤ、ＭＰ３、ＤＶＤ、ＶＣＤ、ラジオ、テレビまたは写真の再生を実行することができることを特徴とする。
【００５７】
請求項６２に記載するように、前記電源制御ユニットは、前記マルチメディアアプリケーションユニットにインストールされていることを特徴とする。請求項６３に記載するように、前記電源制御ユニットは、前記コンピュータシステムのオペレーションシステムにインストールされていることを特徴とする。
【００５８】
請求項６４に記載するように、前記マルチメディアアプリケーションユニットがＣＤおよびＭＰ３の音声項目の再生を実行するとき、前記電源制御ユニットは、前記コンピュータシステムのＣＰＵ、ＣＤドライブ装置、ハードディスク装置、伝送制御装置、音声データ処理装置、アンプ、スピーカおよび入力装置を起動し、その他のハード設備を停止させることを特徴とする
【００５９】
請求項６５に記載するように、前記マルチメディアアプリケーションユニットがテレビ再生項目を実行するとき、前記電源制御ユニットは、前記コンピュータシステムのＣＰＵ、テレビ映像音声処理装置、ハードディスク装置、伝送制御装置、映像処理装置、アンプ、スピーカおよび入力装置を起動し、その他のハード設備を停止させることを特徴とする。
【００６０】
請求項６６に記載するように、前記マルチメディアアプリケーションユニットがＶＣＤおよびＤＶＤ再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする。
【００６１】
請求項６７に記載するように、前記マルチメディアアプリケーションユニットがラジオ受信項目を実行するとき、前記電源制御ユニットは、前記コンピュータシステムのＣＰＵ、ラジオ音声信号受信処理装置、ハードディスク装置、伝送制御装置、音声信号処理装置、アンプ、スピーカおよび入力装置を起動し、その他のハード設備を停止させることを特徴とする。
【００６２】
請求項６８に記載するように、前記マルチメディアアプリケーションユニットが写真再生項目を実行するとき、前記電源制御ユニットは、前記コンピュータシステムのＣＰＵ、ＣＤドライブ装置、ハードディスク装置、伝送制御装置、映像処理装置、音声信号処理装置、アンプ、スピーカおよび入力装置を起動し、その他のハード設備を停止させることを特徴とする。
【発明の効果】
【００６３】
本発明の電源制御ユニットは、使用者がマルチメディアアプリケーションユニット操作して再生する項目に基づいて、電源データ管理ユニットからデータを読み取り、コンピュータシステムが使用する必要のあるハード設備を起動し、その他の無用のハード設備を停止して電源の節約を行い、さらにＣＰＵの動作周波数を調整して、高すぎる動作周波数を使用することによって電源を無駄に使用することを防止し、本発明のコンピュータシステムにおいては随時ハード設備を監視する必要がないのでコンピュータシステムのＣＰＵの負荷量を減少できる。
【発明を実施するための最良の形態】
【００６４】
図１は本発明の第１の好適な実施形態を示すブロック図であり、図２は本発明の第１の好適な実施形態を示す流れ図である。図からわかるように、本発明は、コンピュータシステム１０を含み、前記コンピュータシステム１０には第１のオペレーションシステム１５および第２のオペレーションシステム２０がインストールされており、前記第１のオペレーションシステム１５には複数のアプリケーションユニット（application）をインストールすることができ、第１のオペレーションシステムは、ＦＡＴまたはＮＴＦＳのファイル形式にすることができ、例えばWindowsシリーズのオペレーションシステムであるWindows XP、Windows NT、Windows98、Windows 2000およびWindows Meであり、第２のオペレーションシステム２０は、資源消費の比較的少ないオペレーションシステムであり、ＥＸＴ2またはＥＸＴ3のファイル形式にすることができ、例えばLinuxオペレーションシステムである。使用者２５がコンピュータシステム１０を使用しようとしたとき、コンピュータシステム１０のＢＩＯＳ３０によって起動し、その後ＢＩＯＳ３０が第２のオペレーションシステム２０を起動し、このようにして使用者２５はコンピュータシステム１０を操作することができ、ＢＩＯＳ３０は資源消費の少ない第２のオペレーションシステム２０を電源を入れた後のオペレーションシステムとするので、コンピュータシステム１０の起動時間を短縮でき、コンピュータシステム１０の資源消費を低下させることができる。
【００６５】
使用者が図２の工程S1に示すように、コンピュータシステム１０を操作して第２のオペレーションシステム２０を通じて第１のオペレーションシステム１５のマルチメディアアプリケーションユニット３５を使用し、映像音楽データの再生を行い、ＣＤ、ＭＰ3、DVD、ＶＣＤ、ラジオ、テレビおよび写真などの再生を行い、マルチメディアアプリケーションユニット３５はまた第２のオペレーションシステム２０内にインストールすることもでき、このとき、工程S2に示すように、第２のオペレーションシステム２０にインストールされている電源制御ユニット４０は、マルチメディアアプリケーションユニット３５が再生を実行する映像音楽項目の種類に基づいて、コンピュータシステム１０の電源データ管理ユニット４５から対応するデータを読み取り、電源データ管理ユニット４５が保存するデータは、マルチメディアアプリケーションユニット３５が実行するそれぞれの異なる項目に対応してコンピュータシステム１０の複数のハード設備５０の起動および停止を必ず行わなければならないデータと、コンピュータシステム１０のＣＰＵ５５の適当な動作周波数である。
【００６６】
次に工程S３に示すように、電源制御ユニット４０は取得したデータに基づき、マルチメディアアプリケーションユニット３５が映像音楽の再生を実行するコンピュータシステムのハード設備５０を起動し、その他の無用のハード設備を強制的に停止させて電源を節約する。工程S4に示すように、電源制御ユニット４０は取得したデータに基づいてＣＰＵ５５の動作周波数を調整し、ＣＰＵ５５が比較的高い動作周波数を使用して電源を無駄に使用することを防ぐ。
【００６７】
図３は電源データ管理ユニット４５に保存されるデータ表であり、図から分かるように、マルチメディアアプリケーションユニット３５がＣＤおよびＭＰ３の音楽再生項目を実行したとき、電源制御ユニット４０はコンピュータシステム１０のＣＤドライブ装置、ハードディスク装置、伝送制御装置（ＩＤＥ  ＡＴＡ／ＡＴＡＰＩ）、音声信号処理装置、アンプ、スピーカおよび入力装置を起動し、前記入力装置はキーボードまたはマウスであり、同時にその他のハード設備を停止させ、マルチメディアアプリケーションユニット３５がその他の映像音楽項目を実行するとき、前記電源制御ユニット４０は電源データ管理ユニット４５が有するデータに基づいて、図３に示すようにマルチメディアアプリケーションユニット３５が実行する項目に組合されたハード設備５０を起動し、図３の電源データ管理ユニット４５が有するデータはさらにＣＰＵ５５の動作周波数を含むことができる。
【００６８】
図４は電源制御ユニット４０がＣＰＵの動作周波数を調整する様子を示す流れ図であり、工程S１０に示すように、本発明の電源制御ユニット４０はＣＰＵ５５の現在の負荷量を感知することができ、その後工程S１１に示すように、取得した負荷量とＣＰＵ５５の最大負荷量との比率を判断し、例えばＣＰＵ５５の現在の負荷量が最大負荷量の０％〜２５％の間のとき、工程S１２を行い、ＣＰＵ５５の動作周波数を最大動作周波数の３０％に調整し、同様に、ＣＰＵ５５の現在の負荷量が最大負荷量の２５％〜５０％の間のとき、工程Ｓ１３を行い、５０％〜７５％のとき、工程Ｓ１４を行い、７５％〜１００％のとき、工程Ｓ１５を行い、ＣＰＵ５５の動作周波数を適当な周波数に調整し、最後に工程S１６に示すように、一定の適当な時間が経った後、再び感知と調整の工程を行い、前記一定の好適な時間は一秒とすることができ、このように循環して常時ＣＰＵ５５の負荷量に基づいて動作周波数を調整でき、電気の浪費を低下させる。
【００６９】
図５は本発明の第２の好適な実施形態を示すブロック図であり、図に示すように、本実施形態が第１の実施形態と異なる点は、電源制御ユニット４０がマルチメディアアプリケーションユニット３５内に含まれている点であり、つまり使用者２５がマルチメディアアプリケーションユニット３５を実行するとき、電源制御ユニット４０が起動し、電源制御ユニット４０は、マルチメディアアプリケーションユニット３５が実行しようとする映像音楽作業項目に基づいて電源データ管理ユニット４５から対応するデータを読み取り、必要なハード設備５０を起動し、その他の無用のハード設備５０を停止させ、さらにＣＰＵ５５の動作周波数を調整してコンピュータシステム１０の電力消費量を低下させる。
【００７０】
本発明の電源制御ユニット４０は、使用者２５がマルチメディアアプリケーションユニット３５操作して再生する項目に基づいて、電源データ管理ユニット４５からデータを読み取り、コンピュータシステム１０が使用する必要のあるハード設備５０を起動し、その他の無用のハード設備５０を停止して電源の節約を行い、さらにＣＰＵ５５の動作周波数を調整して、高すぎる動作周波数を使用することによって電源を無駄に使用することを防止し、本発明のコンピュータシステム１０においては随時ハード設備５０を監視する必要がないのでコンピュータシステムのＣＰＵの負荷量を減少できる。
【００７１】
上述の詳細な説明は本発明の好適な実施形態を示したものであり、本発明の実施範囲を限定するものであなく、本発明において述べた形状、構造、特徴および主旨の変化と修飾は全て本発明の申請範囲に含まれる。
【図面の簡単な説明】
【００７２】
【図１】本発明の第１の好適な実施形態を示すブロック図である。
【図２】本発明の第１の好適な実施形態を示す流れ図である。
【図３】電源データ管理ユニットが保存するデータの表である。
【図４】電源制御ユニットがＣＰＵの動作周波数を調整する様子を示す流れ図である。
【図５】本発明の第２の好適な実施形態を示すブロック図である。
【符号の説明】
【００７３】
１０    コンピュータシステム
１５    第１のオペレーションシステム
２０    第２のオペレーションシステム
２５    使用者
３０    ＢＩＯＳ
３５    マルチメディアアプリケーションユニット
４０    電源制御ユニット
４５    電源データ管理ユニット
５０    ハード設備
５５    ＣＰＵ
【図１】
2005228335.tif 000003
【図２】
2005228335.tif 000004
【図３】
2005228335.tif 000005
【図４】
2005228335.tif 000006
【図５】
2005228335.tif 000007